(57)【要約】【課題】  人間の免疫力、自然治癒力、細胞の代謝に深く関連すると広く知られる脳のα波の状態であるが、ストレスを被ったことにより、α波の出現率が低下し、また  老化やストレスがα波の周波数の乱れを起こす事が背景にあり国家の医療費は年々増加の一途をたどっている。現在、α波を出現させる為にはヒーリングやセラピーのように個人の感じ方に頼る方法しか確立しておらず、しかも、α波には年齢差があり、年齢相応のα波しか出現せず、年齢相応の免疫力、自然治癒力、成長ホルモンの分泌、免疫細胞の代謝しか望めないのが現況である。  感じ方の個人差に左右されずに的確にα波を出現させて、免疫力、自然治癒力、細胞の代謝を高めるための機器を開発して、国民の健康を増進し、医療費の低減化を図らなければいけないことが課題である。【解決手段】  人間が一生のうち最も成長ホルモン、免疫細胞、を分泌し血中濃度の最高値を示す年代、１０歳代から２０歳代前半の平均α波の周波数１０．８ヘルツ、それを含むα波と定義される８ヘルツから１３ヘルツを脳波と同等の３０マイクロボルトから１００マイクロボルトで発信する機器を発明した。  蓄電池を電源とてコードレスで軽量な装身具タイプにすることに成功した、α波の電気信号の伝達を受けながら常に携行できることを実現したことにより、誰しもが容易にピンポイントで最高値のα波の伝達を受ける事を可能にした。  電極を介して正確にα波を体内に伝達することにより、乱れた自身のα波を補い、免疫力、自然治癒力の増強、成長ホルモン、免疫細胞の分泌を促すことによって、予防医学、健康増進に貢献する。  上述の発明により、健康増進、医療費削減の課題を解決する。【選択図】図１
2018069004.tif 000002
【特許請求の範囲】
【請求項１】
電極を介して本体水晶発振器から発振する８ヘルツから１３ヘルツのα波の周波数を３０マイクロボルトから１２０マイクロボルトをチューニングして頸部より神経へ電気刺激を与え、脳波へ共鳴させて、α波とβ―エンドルフィンを誘発させるようにしたネックレス。
【請求項２】
電極を頸部裏の後頭部頭蓋骨すぐ下に４ｃｍから６ｃｍ間隔で配置して、頭蓋骨内から出てすぐの神経に電気刺激を与えられるようにした。
【請求項３】
本体前面に稼働中を示す青色発光ダイオードを配置点滅させ、装飾効果を持たせた。
【請求項４】
出力するヘルツ数、ボルト数、青色発光ダイオードのオンオフ、発光パターンをブルートゥースでモバイルへ繋ぎ、専用アプリケーションにてチューニングする。
【発明の詳細な説明】
【技術分野】
【０００１】  本発明は、健康若年期の平均α波の電気刺激を発するネックレスに関するものである。
【背景技術】
【０００２】  人間の脳はα波の出現と共にβ―エンドルフィンというホルモンが分泌される、β―エンドルフィンは老化を防止し自然治癒力を高める、すぐれた薬効効果があり、ガンをたたくことで有名なナチュラルキラー細胞がβ―エンドルフィンに触れると幼若化現象、若返りが発生することが顕微鏡でも確認された。
対峙するノルアドレナリンというホルモンは強い毒を持ち老化を促進し病気を誘発するホルモンであるが、β―エンドルフィンの分泌と共に止まる特性がある。
β―エンドルフィンは別名、脳内モルヒネと称されるくらい分泌時には多幸感と沈痛作用、鎮静作用をもたらす。
α波を発生させるには、リラックスするということ、自傷事、きれいと思うものを見聞きする等があるが、個人差があり逆効果を生む場合もある。
経年によりα波の周波数が少なくなり、出現率が減少するという臨床結果もある。【０００３】  脳波をコントロールするには、ＤＢＳ脳深部刺激療法という神経系の疾病の治療法、頭蓋骨に穴を開け電極を脳深部に埋め込み電気信号を共鳴させる治療法がある、脳は電気刺激に共鳴することを裏付けされたものであるが、未病の人にはリスクが大きすぎる。
【先行技術文献】
【０００４】
【特許文献１】  特表２０１３−５０００５０  電気刺激のための医療用具
【非特許文献】
【０００５】
【非特許文献１】  春山茂樹著「脳内革命」サンマーク出版  １９９５年
【非特許文献２】  春山茂樹著「脳内革命２」サンマーク出版  １９９６年
【発明の概要】
【発明が解決しようとする課題】
【０００６】  解決する問題点は、不要事に容易に取り外しができることを課題とする。
【課題を解決するための手段】
【０００７】本発明は、蓄電池を用いコードレスにすることによりネックレスタイプにすることができ、取り付け取り外しが容易にできることを特徴とする。
【発明の効果】
【０００８】  上述したようにα波、β―エンドルフィンを分泌するためには、リラックスする、自傷事、きれいなものを見聞きする等、個人差の発生する方法しかありませんでしたが、本発明の装身具は的確にα波の周波数を電気刺激として神経に伝達することができ、しかも、身体、皮膚に負担を負うこと無く容易に装着できる。【０００９】  本発明の効果を確認するために、１０代から８０代、健常者から持病がある方までランダムに選んだ１０人を被験者とし、無音の暗室にて３０分間、本発明による刺激のみ受ける状態で本発明品ネックレスを装着した後、体感、体調を聞き取り調査した。【００１０】  結果、被験者の約９割の方が、身体が軽くなった、と語った。下記表１に示すように、本発明品の装身具ネックレスタイプを装着することによりα波と共に分泌されるβ―エンドルフィンが顕著に分泌されていることが確認できた。
【表１】
2018069004.tif 000003
【図面の簡単な説明】
【００１１】
【図１】  ネックレス全体の正面図である。
【図２】  本体裏面の図である。
【図３】  本体内部の図である。
【発明を実施するための形態】
【００１２】  蓄電池をエネルギー源とし水晶発振器にて電気パルスを発振してボリュームにて電圧を制御し電極にて頸部後ろ側に電気刺激を与える。
ブルートゥースで繋がったモバイルのアプリケーションでチューニングし、本体正面のＬＥＤにて動作確認する、以上の蓄電池、水晶発振器、ボリューム、ＬＥＤを基盤に配置して、ＣＯＢチップオンボード化して小型軽量にしてネックレスタイプにする。
【００１３】  全長は４５ｃｍから７０ｃｍでネックレスチェーン部はシリコーンゴムチューブにて被覆する。
【００１４】  出力はα波の範囲の８ヘルツから１３ヘルツを、人間の脳が常時出している３０マイクロボルトから１２０マイクロボルトで、ブルートゥースで繋がれたモバイルのアプリケーションによりチューニングして出力する。
【実施例１】
【００１５】  本体の電源を入れ、出力、ＬＥＤの点灯オンオフ、ＬＥＤの点灯パターンをチューニングして首から下げる。
【産業上の利用可能性】
【００１６】  軽量でネックレスタイプなので、入浴時以外は年齢性別問わず装着適用できる。
【符号の説明】
【００１７】  １    チップオンボード内蔵本体    ６    水晶発振器
２    バックル                    ７    ボリューム
３    リード線内蔵ネックレス      ８    ＬＥＤ
４    電極                        ９    充電用差込口
５    蓄電池                      １０  ブルートゥース発信機
１１  シリコンチューブ被覆
【図１】
2018069004.tif 000004
【図２】
2018069004.tif 000005
【図３】
2018069004.tif 000006
【手続補正書】
【提出日】平成29年10月26日(2017.10.26)
【手続補正２】
【補正対象書類名】特許請求の範囲
【補正対象項目名】全文
【補正方法】変更
【補正の内容】
【特許請求の範囲】
【請求項１】
人間の脳波のα波と定義される８ヘルツから１３ヘルツの周波数を、脳波と同等の電圧、３０マイクロボルトから１２０マイクロボルトをチューニングして皮膚より電極を介して身体へ電気信号を伝達して、脳波へ共鳴させて、脳下垂体を含む各臓器から、成長ホルモン、ユビキノン、β―エンドルフィン、免疫細胞の分泌を誘発させるようにした機器。
【請求項２】
請求項１を含む、水晶振動子を含むマイコンを制御部品とすることで、０．１Ｈｚまでの調整を可能にし１０．８Ｈｚを含む８Ｈｚから１３Ｈｚの人間のα波の周波数を正確に調整できるようにした機器。
【請求項３】
本体前面に稼働中を示す青色を含む発光ダイオードを配置点滅させ、装飾効果を持たせた。
【請求項４】
請求項３を含む、出力する周波数、電圧、青色を含む発光ダイオードのオンオフ、発光パターンをブルートゥースでモバイルへ繋ぎ、モバイルのアプリケーションにて無線で調整できる機器。
【請求項５】
請求項１を含む、個人差や年齢差があるヒーリングやセラピーで得られるα波ではなく、ピンポイントに人間の最高値の平均α波の周波数  １０．８を伝達できる機器。
【請求項６】
請求項１を含む、電池を含む蓄電池を電源にすることにより、コードレスで小型軽量の形態で、ネックレス、ブレスレット、ベルト、帽子、マフラー、靴を含む、形態を問わず装身具として携行でき、常時α波の伝達を受けることのできる機器。
【手続補正３】
【補正対象書類名】明細書
【補正対象項目名】全文
【補正方法】変更
【補正の内容】
【発明の詳細な説明】
【技術分野】
【０００１】本発明は、α波の電気信号を正確に発信して、身体に伝達する装身具に関するものである。
【背景技術】
【０００２】予防医学や健康増進、アンチエイジングに直結する、免疫力、自然治癒力、成長ホルモンの血中濃度、β―エンドルフィンの血中濃度は脳のα波と深く関連する事が広く知られている。
＿
現在、脳のα波化にはヒーリングやセラピーの施術しか方法がなく、感じ方の個人差に左右されているのが現状である。
＿
α波とは人間の脳が８Ｈｚから１３Ｈｚの状態と定義づけられ、また脳波は平均５０μＶ程度で出力している電気信号のことである。
パーキンソン病やてんかんの脳の病気にはＤＢＳ脳深部刺激療法という脳を電気信号で制御する治療が広く知られているが、脳は電気信号に共鳴することを証明している先行技術である。
以上の事実を踏まえ、人工的にα波を発信し人体へ伝達する機器の発明、開発してきたことが背景である。
α波の平均周波数には年齢差があり、１３Ｈｚから８Ｈｚまでのα波の定義の中で、２０歳代前半の平均α波１０．８Ｈｚから８０歳代前半の平均α波８Ｈｚまであることが広く知られているが、
本発明品は、人工的にα波を作り出すことから、任意の周波数と電圧を選択できることに成功した背景を持つ。【０００３】脳波をコントロールするには、ＤＢＳ脳深部刺激療法という神経系の疾病の治療法、頭蓋骨に穴を開け電極を脳深部に埋め込み電気信号を共鳴させる治療法がある、脳は電気信号に共鳴することを裏付けされたものであるが、未病の人にはリスクが大きすぎる。
【先行技術文献】
【０００４】
【特許文献１】特表２０１３−５０００５０  電気刺激のための医療用具
【非特許文献】
【０００５】
【非特許文献１】春山茂樹著「脳内革命」サンマーク出版  １９９５年  （２）
【非特許文献２】春山茂樹著「脳内革命２」サンマーク出版  １９９６年
【発明の概要】
【発明が解決しようとする課題】
【０００６】脳波の乱れからくる、予防医学に密接な関係をもつ成長ホルモンの分泌不全、免疫細胞の分泌不全、不眠、β―エンドルフィンの分泌不全、代謝不全、の弊害。
現在、脳波をα波化する為には、ヒーリングやセラピーを用いられているが、個人の感じ方に頼るものであり、大きく個人差が生じている。
課題は、性別、年齢、時間、場所に拘わらずに脳波を正確にα波に整えることが課題である。
【課題を解決するための手段】
【０００７】本発明品は、人工的に水晶振動子やマイコンの先端技術で制御することにより正確なα波を作り出し、直接皮膚へ伝達できる。
蓄電池を電源とすることにより、コードレスで軽量、小型化を実現した。
装身具の形態として常時携行でき、場所を選ばずα波の電気信号を受ける事ができる。
季節によって、湿度が変わり皮膚の電導率が変化しても、出力する電圧を調整する事によって通年で正確なα波の電気信号を受ける事ができる。
【発明の効果】
【０００８】上述したように、ヒーリングやセラピーのように個人差が生じる方法とは異なり、的確に最高値のα波の周波数を電気信号として神経に伝達することができ、しかも、身体、皮膚に負担を負うこと無く容易に装着できる。【０００９】本発明の効果を確認するために、１０代から８０代、健常者から持病がある方までランダムに選んだ１０人を被験者とし、無音の暗室にて３０分間、本発明による刺激のみ受ける状態で本発明品をネックレスタイプとして装着した後、体感、体調を聞き取り調査した。【００１０】  結果、被験者の約９割の方が、身体が軽くなった、と語った。下記表１に示すように、本発明品の装身具ネックレスタイプを装着することにより、脳波がα波を発し身体をリペアした結果だと認識した。
【表１】
2018069004.tif 000007
【００１１】本発明品の効果を確認するために、発明者本人（５２歳男性）の試作ネックレスタイプの長期装着実験を行った（２０１６年１１月１日から２０１７年３月１日まで）実験方法は、起床時に発明品を装着、就寝時に外す事を３ヶ月続けた。【００１２】上述の実験の結果、２０年以上薄毛の状態であった被験者の頭部に発毛が認められ、担当皮膚科専門医から「α波発振器の装着により成長ホルモンが活性化し発毛し始めたことは整合性が整っており、納得できる結果である。」との所見を確認した。
【図面の簡単な説明】
【００１３】
【図１】ネックレス全体の正面図である。
【図２】本体裏面の図である。
【図３】本体内部の図である。
【図４】本体の回路図である。
【発明を実施するための形態】
【００１４】蓄電池をエネルギー源とし水晶発振器を含むマイコン等の制御部品にて電気信号を発信してボリュームにて電圧を制御し電極にて皮膚に直接電極をあて、電気信号を伝達する。
ブルートゥースで繋がったモバイルのアプリケーションでチューニングし、本体正面のＬＥＤにて動作確認する、以上の蓄電池、水晶発振器を含むマイコン、ボリューム、ＬＥＤを基盤に配置して、ＣＯＢチップオンボード化して小型軽量にして違和感無く装着できる形態にした。
あらゆる装身具の形態に対応して、容易に脱着できる事を特徴とする。
【００１５】本体基盤は、プラスチックのハウジング内に収め、電極以外は人体に影響を与えない形状である。
【００１６】出力はα波の範囲の８ヘルツから１３ヘルツを、人間の脳が常時出している３０マイクロボルトから１２０マイクロボルトで、ブルートゥースで繋がれたモバイルのアプリケーションによりチューニングできる。
電極を介してα波を出力する。
【実施例１】
【００１７】ネックレスタイプの場合、本体の電源を入れ、出力、ＬＥＤの点灯オンオフ、ＬＥＤの点灯パターンを選択して首から下げる事を含む皮膚に電極が当たるように装着する。
【産業上の利用可能性】
【００１８】軽量で装身具タイプなので、入浴時以外は年齢性別問わず装着適用できる。
【符号の説明】
【００１９】  １    チップオンボード内蔵本体      ６    水晶発振器含むマイコン
２    バックル                      ７    ボリューム
３    リード線内蔵ネックレス        ８    ＬＥＤ
４    電極                          ９    充電用差込口
５    蓄電池                        １０  ブルートゥース発信機
１１    シリコンチューブ被覆
【手続補正４】
【補正対象書類名】図面
【補正対象項目名】全図
【補正方法】変更
【補正の内容】
【図１】
2018069004.tif 000008
【図２】
2018069004.tif 000009
【図３】
2018069004.tif 000010
【図４】
2018069004.tif 000011